(57)【要約】【課題】  子供やペットの双方にストレスを与えることなく、子供やペットの移動を監視誘導することが可能な移動体監視誘導システムの提供。【解決手段】  情報サーバ４００は、リーダ装置２００が移動体の無線ＩＣタグ（ＲＦＩＤ）１００から検出した移動体の識別情報と、そのリーダ装置２００の位置情報とに基づく情報をそのリーダ装置２００へ出力する。リーダ装置２００は受け取った情報に基づき表示発光部２０２およびスピーカ２０３を介して、音、光、映像等を出力する。その出力情報により移動体が誘導される。【選択図】      図１
2006277422.tif 000002
【特許請求の範囲】
【請求項１】
移動体の移動を監視誘導する移動体監視誘導システムであって、
移動体に取り付けあるいは添付される移動体識別タグと、
任意の位置に設置されかつ前記移動体識別タグの情報を検出する１個または複数のリーダ装置と、
通信ネットワークと、
前記通信ネットワークを介して前記リーダ装置と接続される情報サーバとを含んでおり、
前記情報サーバは、前記リーダ装置で検出されかつ前記リーダ装置から送信された前記移動体識別タグの情報および前記リーダ装置の位置情報に基づいて、前記リーダ装置に対し所定情報の出力を指示する情報出力指示手段を含むことを特徴とする移動体監視誘導システム。
【請求項２】
前記情報サーバは、前記移動体識別タグの情報と各リーダ装置が出力すべき音、光または表示の種別を示す情報とが関連付けて格納された利用者情報データベースと、
各リーダ装置の設置位置に関する情報が格納されたリーダ装置データベースとを含むことを特徴とする請求項１記載の移動体監視誘導システム。
【請求項３】
さらに、前記通信ネットワークと接続された通信端末を含み、前記情報サーバは前記通信端末に対し前記リーダ装置の位置情報を含む所定のメッセージを送信する所定情報送信手段を含むことを特徴とする請求項１または２記載の移動体監視誘導システム。
【請求項４】
さらに前記移動体識別タグは書き換え可能なメモリと、情報出力手段とを含み、
前記リーダ装置は前記情報サーバから受け取った前記所定情報で前記移動体識別タグのメモリの内容を書き換えるメモリ書き換え手段を含み、
前記移動体識別タグの情報出力手段は書き換えられたメモリ内容に基づき情報を出力することを特徴とする請求項１から３いずれかに記載の移動体監視誘導システム。
【請求項５】
移動体の移動を監視誘導する移動体監視誘導システムにおける監視誘導方法であって、
前記移動体監視誘導システムは、移動体に取り付けあるいは添付される移動体識別タグと、任意の位置に設置されかつ前記移動体識別タグの情報を検出する１個または複数のリーダ装置と、通信ネットワークと、前記通信ネットワークを介して前記リーダ装置と接続される情報サーバとを含んでおり、
前記情報サーバは、前記リーダ装置で検出されかつ前記リーダ装置から送信された前記移動体識別タグの情報および前記リーダ装置の位置情報に基づいて、前記リーダ装置に対し所定情報の出力を指示する情報出力指示ステップを含むことを特徴とする移動体監視誘導方法。
【請求項６】
前記情報サーバは、前記移動体識別タグの情報と各リーダ装置が出力すべき音、光または表示の種別を示す情報とが関連付けて格納された利用者情報データベースと、
各リーダ装置の設置位置に関する情報が格納されたリーダ装置データベースとを含むことを特徴とする請求項５記載の移動体監視誘導方法。
【請求項７】
さらに、前記通信ネットワークと接続された通信端末を含み、前記情報サーバは前記通信端末に対し前記リーダ装置の位置情報を含む所定のメッセージを送信する所定情報送信ステップを含むことを特徴とする請求項５または６記載の移動体監視誘導方法。
【請求項８】
さらに前記移動体識別タグは書き換え可能なメモリと、情報出力手段とを含み、
前記リーダ装置は前記情報サーバから受け取った前記所定情報で前記移動体識別タグのメモリの内容を書き換えるメモリ書き換えステップを含み、
前記移動体識別タグの情報出力手段は書き換えられたメモリ内容に基づき情報を出力することを特徴とする請求項５から７いずれかに記載の移動体監視誘導方法。
【発明の詳細な説明】
【技術分野】
【０００１】
本発明は、移動体監視誘導システムおよびその監視誘導方法に関し、特に子供やペットの移動を監視誘導する移動体監視誘導システムおよびその監視誘導方法に関する。
【背景技術】
【０００２】
従来、たとえば、子供や犬などのペットを自由に行動させることは、防犯上あるいは事故防止の観点から望ましいこととは言えず、したがって、親権者や所有者が常にこれらを監視する必要があった。すなわち、親権者や所有者が見守っていなければ何処に行くか分からない年齢の子供やペットは、常に監視し、ペットの場合は鎖で繋ぐなどして、その行動を制限する必要があった。
【０００３】
一方、移動体に移動体識別タグを取り付け、このタグ情報を取得することにより、移動体を管理するシステムが開示されている。
【０００４】
その一例として、子供（移動体）に携行されたＲＦＩＤ(Radio Frequency- Identification) タグを、施設に固定設置された発見連絡器（リーダ装置）によって検出するのに応じて、その発見連絡器がその子供の名前を含むメッセージを、要件表示部にて表示する技術が開示されている（たとえば、特許文献１参照）。また、発見連絡器が施設において複数個所に固定設置されていること、ＲＦＩＤタグを検出した発見連絡器とは異なる他の発見連絡器にて情報連絡すること、およびＲＦＩＤタグを発見連絡器にて検出するのに応じて、対応するメッセージを提供することも開示されている（同特許文献参照）。
【０００５】
また他の一例として、施設利用者が携行するガイド装置（無線タグを含む携帯端末）がＲＦＩＤタグを備え、建物に設けられたＲＦＩＤ検出部（リーダ装置）がそのＲＦＩＤタグを検出するのに応じて、管理サーバがそのＲＦＩＤタグに対応する情報提供をガイド装置に表示する技術が開示されている（たとえば、特許文献２参照）。
【０００６】
また他の一例として、人間Ａ乃至Ｃ（移動体）に携行された無線タグを、無線ＩＤタグ装置（リーダ装置）を備える自走可能なロボット（リーダ装置を含む装置）にて検出するのに応じて、そのロボットがその無線タグに対応するメッセージをスピーカから出力する技術が開示されている（たとえば、特許文献３参照）。
【０００７】
【特許文献１】特開２０００−２３２５１９号公報（段落０００９、００１４、００１９、００２０、図１、図３〜図５）
【特許文献２】特開２００３−２８８４７２号公報（段落００３６、００３７、００５９、００９２、図１、図２、図６）
【特許文献３】特開２００４−２１６５１３号公報（段落００１８、００５０、００５４、００５６、００６５、００６６、００８５、００８７、図１、図３、図５）
【発明の開示】
【発明が解決しようとする課題】
【０００８】
しかし、子供やペットの行動を制限するために、子供やペットの行動を監視するには手間がかかり、親権者や所有者、子供やペットの双方にとってストレスとなるという課題があった。
【０００９】
一方、特許文献１開示の技術で発見連絡器が提供する情報は、迷子の居場所を知らせる情報（たとえば、「英樹は現在Ｇ所にいます」という情報）であり、特許文献２開示の技術でガイド装置の表示部に表示する情報は、たとえば、混雑度合いや買い物情報であり、また特許文献３開示の技術でロボットがスピーカから出力するメッセージは、たとえば、「こんにちは」、「明日は晴れるよ」、「暇だよ」等のメッセージである。これに対し本発明において提供されるメッセージは、移動体の移動を監視誘導するためのメッセージであり、その目的、構成、作用、効果のいずれも前述の特許文献１〜３とは全く相違する。
【００１０】
そこで本発明の目的は、子供やペットの双方にストレスを与えることなく、子供やペットの移動を監視誘導することが可能な移動体監視誘導システムおよびその監視誘導方法を提供することにある。
【課題を解決するための手段】
【００１１】
前記課題を解決するために本発明による移動体監視誘導システムは、移動体の移動を監視誘導する移動体監視誘導システムであって、移動体に取り付けあるいは添付される移動体識別タグと、任意の位置に設置されかつ前記移動体識別タグの情報を検出する１個または複数のリーダ装置と、通信ネットワークと、前記通信ネットワークを介して前記リーダ装置と接続される情報サーバとを含んでおり、前記情報サーバは、前記リーダ装置で検出されかつ前記リーダ装置から送信された前記移動体識別タグの情報および前記リーダ装置の位置情報に基づいて、前記リーダ装置に対し所定情報の出力を指示する情報出力指示手段を含むことを特徴とする。
【００１２】
また本発明による移動体監視誘導方法は、移動体の移動を監視誘導する移動体監視誘導システムにおける監視誘導方法であって、前記移動体監視誘導システムは、移動体に取り付けあるいは添付される移動体識別タグと、任意の位置に設置されかつ前記移動体識別タグの情報を検出する１個または複数のリーダ装置と、通信ネットワークと、前記通信ネットワークを介して前記リーダ装置と接続される情報サーバとを含んでおり、前記情報サーバは、前記リーダ装置で検出されかつ前記リーダ装置から送信された前記移動体識別タグの情報および前記リーダ装置の位置情報に基づいて、前記リーダ装置に対し所定情報の出力を指示する情報出力指示ステップを含むことを特徴とする。
【発明の効果】
【００１３】
本発明によれば、リーダ装置が検出した移動体の識別情報と、そのリーダ装置の位置情報に基づく情報を情報サーバがそのリーダ装置へ出力する。そのリーダ装置は受け取った情報を出力する。その出力情報により移動体が誘導される。
【００１４】
本発明によれば上記構成を含むため、子供やペットの移動を監視誘導することが可能となる。
【発明を実施するための最良の形態】
【００１５】
以下、本発明の実施例について添付図面を参照しながら説明する。
【実施例１】
【００１６】
図１は本発明に係る移動体の監視誘導システムの一例の構成図である。同図を参照すると、本発明に係る移動体の監視誘導システムの一例は、無線ＩＣタグ（一例として、ＲＦＩＤ）１００と、１個または複数のリーダ装置２００（２００ａ，２００ｂ，２００ｃ，．．．）と、利用者通信端末３００と、情報サーバ４００と、通信ネットワーク５００とを含んで構成される。
【００１７】
無線ＩＣタグ１００は図示しない移動体に取り付けあるいは添付されるもので、移動体の識別情報が図示しないメモリにあらかじめ書き込まれている。リーダ装置２００は無線ＩＣタグ１００から情報を取得する。利用者通信端末３００は一例としてＰＤＡ(Personal Digital Assistant)，携帯電話機等の通信機能を備えた携帯型の情報処理装置である。情報サーバ４００には移動体の監視誘導に必要な情報が格納されている。
【００１８】
無線ＩＣタグ１００、リーダ装置２００、利用者通信端末３００、情報サーバ４００は、プログラム制御により動作し、通信ネットワーク５００を介して相互に接続される。
【００１９】
無線ＩＣタグ１００はアンテナコイル、メモリ等を有して構成され、移動体に取り付けあるいは添付され、所定空間（あるいは距離）内に存在するリーダ（あるいはリーダライタ）に対しメモリに格納された情報を送信する。
【００２０】
図２は本発明に係るリーダ装置の一例の構成図である。同図を参照すると、リーダ装置２００はＮＷ(Net Work)通信部２０１と、表示発光部２０２と、スピーカ２０３と、検出部２０４と、ＲＦＩＤリーダ（あるいはＲＦＩＤリーダ／ライタ）２０５と、記憶部２０６と、制御部２０７とを含んで構成される。
【００２１】
リーダ装置２００は移動経路（たとえば道路）の近傍に設置され、所定空間（距離）内に近接した無線ＩＣタグ１００より情報を取得する機能を備えている。
【００２２】
ＮＷ通信部２０１は通信ネットワーク５００を介して情報送受信（通信インタフェース（Ｉ／Ｆ））を行う。表示発光部２０２は文字、画像等の表示出力あるいは発光を行う。スピーカ２０３は音声、楽音等を出力する。検出部２０４は装置本体への移動体の近接を既知の検出方法（カメラ、光センサ等）により検出する。ＲＦＩＤリーダ２０５は所定空間（距離）内に存在する無線ＩＣタグ１００より情報を取得する。記憶部２０６はプログラム等の各種情報を格納する。制御部２０７はＮＷ通信部２０１を介する情報送受信制御、ＲＦＩＤリーダ２０５による無線ＩＣタグ１００からの情報取得制御および装置各部の制御を行う。
【００２３】
図３は本発明に係る利用者通信端末の一例の構成図である。同図を参照すると、利用者通信端末３００はアンテナ３０１と、無線部３０２と、表示部３０３と、操作部３０４と、音声処理部３０５と、スピーカ３０６と、メモリ３０７と、制御部３０８とを含んで構成される。
【００２４】
無線部３０２はアンテナ３０１を介して図示しない無線基地局との間で無線信号を送受信する。表示部３０３は文字、画像等の表示出力を行う。操作部３０４は情報操作入力を行うテンキー、スクロールキー等で構成される。音声処理部３０５はマイクおよびスピーカの音声信号処理を行う。スピーカ３０６は楽音、報知音等を出力する。メモリ３０７は電話帳情報、送受信メール情報、発着呼情報、端末の設定情報、プログラム情報等を格納する。制御部３０８は電話（通話）、メール送受信、ＷＥＢ接続（インターネット接続）、携帯通信端末各部の制御を行う。
【００２５】
図４は本発明に係る情報サーバの一例の構成図である。同図を参照すると情報サーバ４００はワークステーション・サーバ等の情報処理装置であって、ＮＷ通信部４０１と、利用者情報データベース（ＤＢ）４０２と、リーダ装置データベース（ＤＢ）４０３と、制御部４０４とを含んで構成される。
【００２６】
ＮＷ通信部４０１は通信ネットワーク５００を介して情報送受信（通信Ｉ／Ｆ）を行う。利用者情報データベース（ＤＢ）４０２は利用者情報として、管理するＩＤ（識別）情報（たとえば後述するが図５および図６に示すように個々のＩＤ情報に対する位置ごとの出力指示情報、メールアドレス、電話番号等の利用者通信端末情報等）を格納する。リーダ装置データベース（ＤＢ）４０３はリーダ装置２００の位置情報（リーダ装置２００の識別ＩＤと該識別ＩＤに対応する位置情報）を格納する。制御部４０４はリーダ装置２００から移動体のＩＤ情報を受信したときに、利用者情報データベース（ＤＢ）４０２およびリーダ装置データベース（ＤＢ）４０３より所定の出力指示を抽出してリーダ装置２００に返信する制御、および情報サーバ４００各部の制御を行う。
【００２７】
図５は本発明に係るリーダ装置２００の設置位置の一例を示す図である。同図を参照すると、一例として交差点６１０から北東方向に道路６１１が、南東方向に道路６１２が、西方向に道路６１３が夫々設けられており、道路６１２近傍に利用者の自宅６０１が存在するものとする。そして、一例として道路６１１近傍にリーダ装置２００ａと２００ｄが、道路６１２近傍にリーダ装置２００ｂと２００ｅが、道路６１３近傍にリーダ装置２００ｃと２００ｆが夫々設けられている。
【００２８】
図６は情報サーバ４００内の利用者情報データベース（ＤＢ）４０２の構成の一例を示す図である。同図を参照すると、「識別情報」は移動体に取り付けあるいは添付される無線ＩＣタグ１００のメモリに予め書き込まれている移動体の識別情報であり、一例として“１２３４−５６７”であることを示している。「リーダ（リーダ／ライタ）」は各リーダ装置２００ａ〜２００ｆの名前を示している。「出力」は各リーダ装置２００ａ〜２００ｆの表示発光部２０２あるいはスピーカ２０３から出力されるものの種類を示している。「利用者への通報」は利用者（利用者通信端末３００）への通報の要・不要を示している。
【００２９】
すなわち、利用者情報データベース（ＤＢ）４０２には各識別情報に対応して各リーダ装置２００ａ〜２００ｆが起こすべき動作が記録されている。
【００３０】
一方、各リーダ装置２００ａ〜２００ｆの設置位置に関する情報は情報サーバ４００内のリーダ装置データベース（ＤＢ）４０３に格納されている。その設置位置は図５に示す位置である。
【００３１】
たとえば、リーダ装置２００ａで移動体の識別情報“１２３４−５６７”が検出された場合、リーダ装置２００ａはその識別情報“１２３４−５６７”を情報サーバ４００へ送信する。これを受け取った情報サーバ４００はまず利用者情報データベース（ＤＢ）４０２を参照して、識別情報“１２３４−５６７”の情報を検索し、図６のデータベースを得る。次に、情報サーバ４００はリーダ装置データベース（ＤＢ）４０３を検索してリーダ装置２００ａの設置位置を確認する。そして、情報サーバ４００はその識別情報“１２３４−５６７”の情報とリーダ装置２００ａの設置位置の情報とに基づいてリーダ装置２００ａに対し音および光の出力を指示する。図６を参照すると、この場合、情報サーバ４００から利用者端末３００への通報は不要である。
【００３２】
また、リーダ装置２００ｄで移動体の識別情報“１２３４−５６７”が検出された場合、リーダ装置２００ｄはその識別情報“１２３４−５６７”を情報サーバ４００へ送信する。これを受け取った情報サーバ４００はまず利用者情報データベース（ＤＢ）４０２を参照して、識別情報“１２３４−５６７”の情報を検索し、図６のデータベースを得る。次に、情報サーバ４００はリーダ装置データベース（ＤＢ）４０３を検索してリーダ装置２００ｄの設置位置を確認する。そして、情報サーバ４００はその識別情報“１２３４−５６７”の情報とリーダ装置２００ｄの設置位置の情報とに基づいてリーダ装置２００ｄに対し映像の出力を指示する。図６を参照すると、この場合、情報サーバ４００から利用者端末３００への通報は必要である（たとえば、情報サーバ４００から電話番号０９０−ＸＸへ発呼する）。
【００３３】
なお、その他の例についても同様に説明できるため、ここでの説明は省略する。
【００３４】
次に、第１実施例の動作について説明する。図７は第１実施例の動作を示すシーケンスチャートである。同図を参照すると、リーダ装置２００の制御部２０７は、検出部２０４により装置本体への移動体（無線ＩＣタグ１００）の近接を判定すると（ステップＳ１）、ＲＦＩＤリーダ２０５を動作させて無線ＩＣタグ１００よりＩＤ情報を取得するよう制御する（ステップＳ２）。
【００３５】
ＲＦＩＤリーダ２０５によって取得されたＩＤ情報は、リーダ装置２００の位置情報（位置情報に対応する識別ＩＤ）とともに情報サーバ４００に送信され（ステップＳ３）、情報サーバ４００の制御部４０４は、受信したＩＤ情報およびリーダ装置２００の位置情報から予め登録された所定の出力表示を抽出し（ステップＳ４）、リーダ装置２００に返信する（ステップＳ５）。
【００３６】
リーダ装置２００は、表示発光部２０２とスピーカ２０３とを備えており、情報サーバ４００から返信された出力表示に基づき、表示発光部２０２およびスピーカ２０３を介して、音、光、映像等を出力する（ステップＳ６）。
【００３７】
たとえば、子供を対象としたものであれば、「これ以上遠くに行っては危険です。家へ帰りましょう」等のメッセージが音声出力あるいは表示される。また、ペット（たとえば、犬）を対象としたものであれば、犬が忌避する音や光を出力することで、所定エリア内に留まるよう誘導する。
【００３８】
また、情報サーバ４００の制御部４０４は、予め登録された所定の出力表示に、利用者通信端末３００への通知が含まれる場合は、利用者通信端末３００のメールアドレスに対し、位置情報を含む所定のメッセージをメール送信するか、あるいは利用者通信端末３００の電話番号（発呼）に対し、位置情報を含む所定の音声メッセージ送出を行う（ステップＳ７）。
【００３９】
利用者通信端末３００ではこのメールあるいは音声メッセージが受信される（ステップＳ８）。
【００４０】
なお、本実施例では、リーダ装置２００を移動経路（道路）の近傍に設置し、所定範囲（エリア）からの逸脱防止を主に示しているが、たとえば、当該エリア内にある危険場所（たとえば、工事現場、繁華街、駐車場、河川、交通量の多い道路等）や、近接が望ましくない建物、住宅、商品・サービス提供者（店舗）等の手前等に設置し、起こり得る危険から回避するようにしても良い。
【００４１】
以上説明したように本発明の第１実施例によれば、子供や犬等のペット等が所定エリア外へ出ようとすると、音や表示あるいは光等によって警告、誘導がなされるので、行動を常に監視する必要をなくすことが可能となる。
【実施例２】
【００４２】
図８は本発明の第２実施例における無線ＩＣタグ装置１５０の一例の構成図である。この無線ＩＣタグ装置１５０は第１実施例の無線ＩＣタグ１００に代わるものである。同図を参照すると、無線ＩＣタグ装置１５０は、ＲＦＩＤ（アンテナコイル、メモリ）１０１と、表示発光部１０２と、スピーカ１０３と、振動部１０４と、メモリ１０５と、制御部１０６とを含んで構成される。
【００４３】
ＲＦＩＤ（アンテナコイル、メモリ）１０１は、所定空間（距離）内に存在するリーダ装置２００（リーダライタ）により、メモリに格納する情報の取得およびメモリへの記録がなされる。
【００４４】
表示発光部１０２は文字、画像の出力、あるいは発光を行う。スピーカ１０３は音声、楽音等を出力する。振動部１０４は振動（加振）により装置本体を振動させる。メモリ）１０１は情報を格納する。制御部１０６は、表示発光部１０２、スピーカ１０３、振動部１０４等の各部を制御する。
【００４５】
一方、図２に示すリーダ装置２００のＲＦＩＤリーダ２０５は、所定空間（距離）内に存在する無線ＩＣタグ装置１５０より情報を取得するリーダ機能と、その無線ＩＣタグ装置１５０に情報を記録するライタ機能とを備えている。
【００４６】
次に、第２実施例の動作について説明する。図９は第２実施例の動作を示すシーケンスチャートである。同図を参照すると、リーダ装置２００の制御部２０７は、検出部２０４により装置本体への移動体（無線ＩＣタグ装置１５０）の近接を判定すると（ステップＳ１１）、ＲＦＩＤリーダ２０５を動作させて無線ＩＣタグ装置１５０よりＩＤ情報を取得するよう制御する（ステップＳ１２）。
【００４７】
これに対し、無線ＩＣタグ装置１５０はＲＦＩＤ１０１に記録された情報をリーダ装置２００へ送信する（ステップＳ１３）。リーダ装置２００はこの情報を受け取り、ＩＤとリーダ位置に関する情報を情報サーバ４００へ送信する（ステップＳ１４）。
【００４８】
これに対し、情報サーバ４００はＩＤとリーダ位置に関する情報を受け取り、利用者情報データベース４０２およびリーダ装置データベース４０３を参照して、対応する出力指示を選択する（ステップＳ１５）。そして、選択した出力指示をリーダ装置２００へ送信する（ステップＳ１６）。
【００４９】
その出力指示を受け取ったリーダ装置２００は、その出力指示に基づき、無線ＩＣタグ装置１５０のＲＦＩＤ（アンテナコイル、メモリ）１０１に記録された情報を書き換える（ステップＳ１７）。これに対し、無線ＩＣタグ装置１５０の制御部１０６は、当該情報の書き換えを判定して、音、光、表示、あるいは振動により移動体に対して警告、あるいは誘導を与える（ステップＳ１８）。
【００５０】
以上説明したように本発明の第２実施例によれば、移動体に直接刺激を与えるので、警告、あるいは誘導効果、危険回避効果をより顕著なものとすることが可能となる。
【図面の簡単な説明】
【００５１】
【図１】本発明に係る移動体の監視誘導システムの一例の構成図である。
【図２】本発明に係るリーダ装置の一例の構成図である。
【図３】本発明に係る利用者通信端末の一例の構成図である。
【図４】本発明に係る情報サーバの一例の構成図である。
【図５】本発明に係るリーダ装置２００の設置位置の一例を示す図である。
【図６】情報サーバ４００内の利用者情報データベース（ＤＢ）４０２の構成の一例を示す図である。
【図７】第１実施例の動作を示すシーケンスチャートである。
【図８】本発明の第２実施例における無線ＩＣタグ装置１５０の一例の構成図である。
【図９】第２実施例の動作を示すシーケンスチャートである。
【符号の説明】
【００５２】
１００  無線ＩＣタグ
１０１  ＲＦＩＤ（アンテナコイル、メモリ）
１０２  表示発光部
１０３  スピーカ
１０４  振動部
１０５  メモリ
１０６  制御部
１５０  無線ＩＣタグ装置
２００  リーダ装置
２０１  ＮＷ(Net Work)通信部
２０２  表示発光部
２０３  スピーカ
２０４  検出部
２０５  ＲＦＩＤリーダ
２０６  記憶部
２０７  制御部
３００  利用者通信端末
３０１  アンテナ
３０２  無線部
３０３  表示部
３０４  操作部
３０５  音声処理部
３０６  スピーカ
３０７  メモリ
３０８  制御部
４００  情報サーバ
４０１  ＮＷ通信部
４０２  利用者情報データベース（ＤＢ）
４０３  リーダ装置データベース（ＤＢ）
４０４  制御部
５００  通信ネットワーク
【図１】
2006277422.tif 000003
【図２】
2006277422.tif 000004
【図３】
2006277422.tif 000005
【図４】
2006277422.tif 000006
【図５】
2006277422.tif 000007
【図６】
2006277422.tif 000008
【図７】
2006277422.tif 000009
【図８】
2006277422.tif 000010
【図９】
2006277422.tif 000011